(57)【要約】【課題】  実行されずに予約した時刻が過ぎてしまった予約ジョブについて、必要な予約ジョブのみを実行する。【解決手段】  ジョブ保存部２５に保存されたジョブをジョブ情報管理部２６により管理し、上記ジョブの実行時刻の予約を受け付けて、上記ジョブ情報管理部２６に予約ジョブを登録し、タイマ部２７により与えられる現在時刻情報に基づいて、登録された予約ジョブを上記ジョブ保存部２５から読み出して予約時刻に実行させる制御部２１により、電源投入時あるいは障害復旧時に、予約ジョブがある場合に、その予約ジョブを復帰するか否かをユーザに問い合わせて、その応答に応じて、上記ジョブ情報管理部２６に対して、その予約ジョブを復帰させる予約ジョブの復帰処理、または、その予約ジョブを消去する予約ジョブの消去処理を行う。【選択図】        図３
2009212553.tif 000002
【特許請求の範囲】
【請求項１】
指定した日時にジョブを実行する機能を備えた画像形成装置であって、
実行すべきジョブを保存するジョブ保存手段と、
上記ジョブ保存手段に保存されたジョブを管理して、ジョブを実行するジョブ管理手段と、
現在時刻情報を与えるタイマ手段と、
上記ジョブ保存手段に保存されたジョブの実行時刻の予約を受け付けて、上記ジョブ管理手段に予約ジョブを登録し、上記タイマ手段により与えられる現在時刻情報に基づいて、登録された予約ジョブを上記ジョブ管理手段により上記ジョブ保存手段から読み出して予約時刻に実行させる制御を行う制御手段とを備え、
上記制御手段は、電源投入時あるいは障害復旧時に、予約ジョブがある場合に、その予約ジョブを復帰するか否かをユーザに問い合わせて、その応答に応じて、ジョブ管理手段に対して、その予約ジョブを復帰させる予約ジョブの復帰処理、または、その予約ジョブを消去する予約ジョブの消去処理を行うことを特徴とする画像形成装置。
【請求項２】
上記制御手段は、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行うことを特徴とする請求項１記載の画像形成装置。
【請求項３】
ジョブ保存手段に保存されたジョブをジョブ管理手段により管理し、上記ジョブ保存手段に保存されたジョブの実行時刻の予約を受け付けて、上記ジョブ管理手段に予約ジョブを登録し、タイマ手段により与えられる現在時刻情報に基づいて、登録された予約ジョブを上記ジョブ管理手段により上記ジョブ保存手段から読み出して予約時刻に実行させる制御手段を備える画像形成装置の制御方法であって、
上記制御手段により、電源投入時あるいは障害復旧時に、予約ジョブがある場合に、その予約ジョブを復帰するか否かをユーザに問い合わせて、その応答に応じて、上記ジョブ管理手段に対して、その予約ジョブを復帰させる予約ジョブの復帰処理、または、その予約ジョブを消去する予約ジョブの消去処理を行い、
上記タイマ手段により与えられる現在時刻情報に基づいて、登録された予約ジョブを上記ジョブ管理手段により上記ジョブ保存手段から読み出して予約時刻に実行させることを特徴とする画像形成装置の制御方法。
【請求項４】
上記制御手段により、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行うことを特徴とする請求項３記載の画像形成装置の制御方法。
【請求項５】
ジョブ保存手段に保存されたジョブをジョブ管理手段により管理し、上記ジョブ保存手段に保存されたジョブの実行時刻の予約を受け付けて、上記ジョブ管理手段に予約ジョブを登録し、タイマ手段により与えられる現在時刻情報に基づいて、登録された予約ジョブを上記ジョブ管理手段により上記ジョブ保存手段から読み出して予約時刻に実行させる制御手段を備える画像形成装置に搭載されるコンピュータにより実行される画像形成装置の制御プログラムであって,
上記制御手段により、電源投入時あるいは障害復旧時に、予約ジョブがある場合に、その予約ジョブを復帰するか否かをユーザに問い合わせて、その応答に応じて、上記ジョブ管理手段に対して、その予約ジョブを復帰させる予約ジョブの復帰処理、または、その予約ジョブを消去する予約ジョブの消去処理を行い、
上記タイマ手段により与えられる現在時刻情報に基づいて、登録された予約ジョブを上記ジョブ管理手段により上記ジョブ保存手段から読み出して予約時刻に実行させる
ことを特徴とする画像形成装置の制御プログラム。
【請求項６】
上記制御手段により、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行うことを特徴とする請求項５記載の画像形成装置の制御プログラム。
【発明の詳細な説明】
【技術分野】
【０００１】
本発明は、指定した日時にジョブを実行する機能を備えた画像形成装置、その制御方法及び制御プログラムに関する。
【背景技術】
【０００２】
例えばプリンタ，ファクシミリ装置，コピー機，スキャナ装置，所謂デジタル複合機等の画像形成装置においては、指定した日時にジョブを実行する予約機能を備えるものがある。
【０００３】
そして、予約機能を備えた画像形成装置では、予約日時を過ぎた場合には警告メッセージを出すことにより、予約したことを忘れていた場合でも業務をより確実に実施することができ、また、予約時間に利用者が現れない場合にも、他の利用者は直ちに装置を利用することができる（例えば、特許文献１参照）。
【０００４】
また、近年、コンピュータネットワークが普及し、多くのオフィスではコンピュータ、プリンタ等の複数台の情報機器を接続したＬＡＮを構築している。コンピュータおよびプリンタ、スキャナ、デジタルカメラなどの周辺機器が普及すると共に、ＬＡＮ等のネットワークも普及しており、ネットワーク上でプリンタ、モデム、画像読取り装置などを共有することによって、ネットワーク上のあらゆる装置を使用できる環境になってきた。
【０００５】
例えば複数のパーソナルコンピュータ（以下、「パソコン」ということがある。）及び複数の印刷機等の画像形成装置が、ネットワークを構成し、ある一つのパソコンから、ある一つの画像形成装置に対して、文書・図画等の情報及び印刷命令を送信することで、当該文書・当該図画等の印刷が可能な画像形成システムが知られている。この場合、上記ネットワークとしては、有線接続・無線接続のいずれをも想定することが可能であり、あるいはいわゆるＷＷＷ（Ｗｏｒｌｄ Ｗｉｄｅ Ｗｅｂ）を利用したものも想定することができる。
【０００６】
【特許文献１】特開平６−２７４４９７号公報
【発明の開示】
【発明が解決しようとする課題】
【０００７】
ところで、従来、指定した日時にジョブを実行する予約機能を備える画像形成装置では、予約ジョブが存在した状態で、電源がオフされ、電源オンされた場合や、ジャム等の障害が発生し、その障害から復旧した際などには、予約した時刻が過ぎていた場合に、全てのジョブが自動的に実行されていた。
【０００８】
しかしながら、予約した時刻が過ぎてから実行されたジョブには、他の画像形成装置で既に実行されてしまったジョブなど、実行不要なジョブが含まれる場合が多い。
【０００９】
そこで、本発明の目的は、上述の如き従来の実情に鑑み、電源の遮断やジャム等の障害の発生などにより、実行されずに予約した時刻が過ぎてしまった予約ジョブについて、必要な予約ジョブのみを実行することができる画像形成装置、その制御方法及び制御プログラムを提供することにある。
【００１０】
本発明の更に他の目的、本発明によって得られる具体的な利点は、以下に説明される実施の形態の説明から一層明らかにされる。
【課題を解決するための手段】
【００１１】
本発明では、電源の再投入時あるいは障害復旧時に、予約ジョブを復帰させるか否かを判断して、必要な予約ジョブのみを実行する。
【００１２】
本発明は、指定した日時にジョブを実行する機能を備えた画像形成装置であって、実行すべきジョブを保存するジョブ保存手段と、上記ジョブ保存手段に保存されたジョブを管理して、ジョブを実行するジョブ管理手段と、現在時刻情報を与えるタイマ手段と、上記ジョブ保存手段に保存されたジョブの実行時刻の予約を受け付けて、上記ジョブ管理手段に予約ジョブを登録し、上記タイマ手段により与えられる現在時刻情報に基づいて、登録された予約ジョブを上記ジョブ管理手段により上記ジョブ保存手段から読み出して予約時刻に実行させる制御を行う制御手段とを備え、上記制御手段は、電源投入時あるいは障害復旧時に、予約ジョブがある場合に、その予約ジョブを復帰するか否かをユーザに問い合わせて、その応答に応じて、ジョブ管理手段に対して、その予約ジョブを復帰させる予約ジョブの復帰処理、または、その予約ジョブを消去する予約ジョブの消去処理を行うことを特徴とする。
【００１３】
本発明に係る画像形成装置において、上記制御手段は、例えば、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行う。
【００１４】
また、本発明は、ジョブ保存手段に保存されたジョブをジョブ管理手段により管理し、上記ジョブ保存手段に保存されたジョブの実行時刻の予約を受け付けて、上記ジョブ管理手段に予約ジョブを登録し、タイマ手段により与えられる現在時刻情報に基づいて、登録された予約ジョブを上記ジョブ管理手段により上記ジョブ保存手段から読み出して予約時刻に実行させる制御手段を備える画像形成装置の制御方法であって、上記制御手段により、電源投入時あるいは障害復旧時に、予約ジョブがある場合に、その予約ジョブを復帰するか否かをユーザに問い合わせて、その応答に応じて、上記ジョブ管理手段に対して、その予約ジョブを復帰させる予約ジョブの復帰処理、または、その予約ジョブを消去する予約ジョブの消去処理を行い、上記タイマ手段により与えられる現在時刻情報に基づいて、登録された予約ジョブを上記ジョブ管理手段により上記ジョブ保存手段から読み出して予約時刻に実行させることを特徴とする。
【００１５】
本発明に係る画像形成装置の制御方法では、例えば、上記制御手段により、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行う。
【００１６】
さらに、本発明は、ジョブ保存手段に保存されたジョブをジョブ管理手段により管理し、上記ジョブ保存手段に保存されたジョブの実行時刻の予約を受け付けて、上記ジョブ管理手段に予約ジョブを登録し、タイマ手段により与えられる現在時刻情報に基づいて、登録された予約ジョブを上記ジョブ管理手段により上記ジョブ保存手段から読み出して予約時刻に実行させる制御手段を備える画像形成装置に搭載されるコンピュータにより実行される画像形成装置の制御プログラムであって、上記制御手段により、電源投入時あるいは障害復旧時に、予約ジョブがある場合に、その予約ジョブを復帰するか否かをユーザに問い合わせて、その応答に応じて、上記ジョブ管理手段に対して、その予約ジョブを復帰させる予約ジョブの復帰処理、または、その予約ジョブを消去する予約ジョブの消去処理を行い、上記タイマ手段により与えられる現在時刻情報に基づいて、登録された予約ジョブを上記ジョブ管理手段により上記ジョブ保存手段から読み出して予約時刻に実行させることを特徴とする。
【００１７】
本発明に係る画像形成装置の制御プログラムでは、例えば、上記制御手段により、上記予約ジョブを復帰させる予約ジョブの復帰処理を行う際に、復帰させる予約ジョブの予約時刻が上記タイマ手段により与えられる現在時刻情報で示される現在時刻を過ぎているか否かを判定し、現在時刻を過ぎている場合には、上記ジョブ管理手段に対して、その予約ジョブを直ちに実行させる制御、又は、予約時刻を修正して予約ジョブを復帰させる制御を行う。
【発明の効果】
【００１８】
本発明によれば、電源の投入時やジャム等の障害から復旧した際などに、予約ジョブの復帰処理を実行することにより、電源の遮断やジャム等の障害の発生などにより、実行させるに予約した時刻が過ぎてしまった予約ジョブについて、電源の再投入時あるいは障害復旧時に、その予約ジョブを復帰させるか否かを判断して、予約ジョブを実行することができ、他の画像形成装置で既に実行されてしまったジョブなど不必要なジョブを実行することなく、必要なジョブのみを実行することができる。
【発明を実施するための最良の形態】
【００１９】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２０】
本発明は、例えば図１に示すように複数のホスト機器１０（１０Ａ、１０Ｂ、１０Ｃ・・・）と複数の画像形成装置２０（２０Ａ、２０Ｂ、２０Ｃ・・・）がＬＡＮなどのネットワーク３０を介して相互に通信可能に接続されてなる印刷システム１００に適用される。
【００２１】
この印刷システム１００において、ホスト機器１０（１０Ａ、１０Ｂ、１０Ｃ・・・）は、例えば、アプリケーションプログラム１０Ａ、オペレーティングシステム１０Ｂ、プリンタドライバ１０Ｃなどで構成される所謂パーソナルコンピュータ（ＰＣ）からなり、図２に示すように、装置全体の制御および各種演算処理を行うＣＰＵからなる制御部１１、制御プログラムやデータを格納するためのＲＯＭ(Read Only Memory)１２、作業領域として一時的にプログラムやデータを記憶するためのＲＡＭ(Random Access Memory)１３、各種のプログラムやデータを保存するための外部記憶装置としてのハードディスク１４、各種情報の表示のための液晶ディスプレイなどの表示部１５、各種指示の入力のためのキーボードやマウスなどからなる入力部１６、上記ネットワーク３０に接続するためのＬＡＮカードなどのネットワークインターフェースからなる通信部１７等がバス１８を介して相互に接続されている。この印刷システム１００における各ホスト機器１０Ａ、１０Ｂ、１０Ｃ・・・は、制御部１１を構成しているＣＰＵの処理能力などによって、性能が異なる。
【００２２】
また、上記画像形成装置２０は、例えばコピー、プリント、スキャン、ファクシミリ送信及びファクシミリ受信機能を有する所謂複合機であって、図３に示すように、装置全体の動作制御を司るＣＰＵを中心とする制御部２１を備え、この制御部２１に印刷部２２、原稿読取部２３、操作表示部２４、ジョブ保存部２５、ジョブ情報管理部２６、タイマ部２７、上記ネットワーク３０に接続するためのＬＡＮカードなどのネットワークインターフェースからなる通信部２８等が接続されている。
【００２３】
制御部２１は、図４に示すように、画像形成装置２０の制御プログラムを記憶するＲＯＭ２１１、一時的にデータを保管するＲＡＭ２１２、更新可能な各種設定データなどを保管するＥＥＰＲＯＭ（Electrically Erasable Programmable ROM）２１３及び制御プログラム等を上記ＲＯＭ２１１から読み出して実行するマイクロコンピュータ２１４等からなり、操作表示部２３等において入力された所定の指示情報や、本装置の各所に設けられた各種センサからの検出信号に応じて装置全体の制御を行う。
【００２４】
印刷部２２は、ジョブを出力用紙に印刷する画像形成処理を行うものであって、図示しないプリンタコントローラ、レーザ走査ユニットや定着ローラ等からなる。
【００２５】
原稿読取部２３は、原稿の読み取りを行って当該原稿に対応する画像データを生成するものであって、光学的に取得した原稿の画像から画像データを生成するＣＣＤ(Charge Coupled Device)センサ及び露光ランプ等を備えたスキャナやコンタクトガラス等からなり、コンタクトガラス上に載置された原稿を走査しつつ取得した画像データを制御部２１へ出力する。
【００２６】
操作表示部２４は、ユーザーの操作に応じて所定の指示入力を行うものであって、図示しない、ユーザーが印刷実行指示を入力するためのスタートキーと、印刷部数等を入力するためのテンキーと、各種複写動作の設定等を入力するための操作ガイド情報等を表示する種々の操作ボタン等が表示される液晶表示器（ＬＣＤ）を備えている。
【００２７】
ジョブ保存部２５は、ユーザーが当該画像形成装置２０に保存依頼を出したジョブを保存する。
【００２８】
ジョブ情報管理部２６は、当該画像形成装置２０内に保存しているジョブの管理を行う。ジョブに付随するジョブ保存ホスト情報(ＩＰアドレス等)もここで管理する。
【００２９】
タイマ部２７は、タイマ処理による時刻管理を行う。
【００３０】
通信部２８は、ネットワーク３０を通してホスト装置１０との間でジョブの送受信を行う。
【００３１】
この印刷システム１００において、画像形成装置２０は、指定した日時にジョブを実行する機能を備えるものであって、上記画像形成装置２０の制御部２１は、操作表示部２４の操作により入力される設定情報、又は、ネットワーク３０を介してホスト機器１０から送られてくる設定情報による予約ジョブの登録を受け付け、受け付けた予約ジョブの実行日時情報をジョブ情報管理部２６に記憶させる。そして、ジョブ情報管理部２６は、タイマ部２７により与えられる現在時刻情報と上記ジョブ情報管理部２６に記憶されている予約ジョブの実行日時情報とを比較して、上記現在時刻情報と実行日時情報とが一致した予約ジョブをジョブ保存部２５から読み出して印刷部２２によりジョブを出力用紙に印刷する。
【００３２】
また、この印刷システム１００において、上記画像形成装置２０の制御部２１は、電源の投入時やジャム等の障害から復旧した際などに、上記ＲＯＭ２１１から制御プログラムを読み出して、図５のフローチャートに示す手順に従って、予約ジョブの復帰処理を実行する機能を備える。
【００３３】
すなわち、制御部２１は、電源の投入時やジャム等の障害から復旧した際などに、図５のフローチャートに示す予約ジョブの復帰処理を開始し、先ず、ジョブ保存部２５に保存されている予約ジョブを確認して（ステップＳ１）、予約ジョブがあるか否かを判定する（ステップＳ２）。
【００３４】
制御部２１は、上記ステップＳ２における判定結果が「ＹＥＳ」、すなわち、予約ジョブがある場合には、その予約ジョブを復帰する否かを問い合わせる通知をユーザに対して行って（ステップＳ３）、その応答に基づいて予約ジョブを復帰する否かを判定し（ステップＳ４）、また、上記ステップＳ２における判定結果が「ＮＯ」、すなわち、予約ジョブがない場合には、そのまま予約ジョブの復帰処理を終了する。
【００３５】
ここで、上記ステップＳ３における予約ジョブを復帰するか否かをユーザに対して問い合わせる通知は、操作表示部２４の表示パネルに表示したり、あるいは、ネットワーク３０を介してユーザのホスト機器１０に電子メールを送ることで行う。
【００３６】
そして、制御部２１は、上記ステップＳ４における判定結果が「ＹＥＳ」、すなわち、操作表示部２４の操作により入力されるユーザからの応答、あるいは、ネットワーク３０を介してホスト機器１０から送られてくるユーザの応答が、予約ジョブの復帰を指示するものである場合には、その予約ジョブを上記ジョブ情報管理部２６に復帰させ（ステップＳ５）、その予約ジョブの実行日時情報をタイマ部２７により与えられる現在時刻情報と比較して、その予約ジョブの実行日時情報により示される実行日時が現在時刻情報により示される現在の日時を過ぎているか否を判定する（ステップＳ６）。
【００３７】
また、制御部２１は、上記ステップＳ４における判定結果が「ＮＯ」、すなわち、操作表示部２４の操作により入力されるユーザからの応答、あるいは、ネットワーク３０を介してホスト機器１０から送られてくるユーザの応答が、予約ジョブの消去を指示するものである場合には、その予約ジョブを上記ジョブ情報管理部２６に消去させて（ステップＳ７）、予約ジョブの復帰処理を終了する。
【００３８】
また、制御部２１は、上記ステップＳ７における判定結果が「ＹＥＳ」、すなわち、予約ジョブの実行日時情報により示される実行日時が現在時刻情報により示される現在の日時を過ぎている場合には、その予約ジョブを直ちに実行する否かを問い合わせる通知をユーザに対して行って（ステップＳ８）、その応答に基づいて予約ジョブを直ちに実行する否かを判定する（ステップＳ９）。
【００３９】
ここで、上記ステップＳ８における予約ジョブを直ちに実行する否かをユーザに対して問い合わせる通知は、操作表示部２４の表示パネルに表示したり、あるいは、ネットワーク３０を介してユーザのホスト機器１０に電子メールを送ることで行う。
【００４０】
そして、制御部２１は、上記ステップＳ９における判定結果が「ＹＥＳ」、すなわち、操作表示部２４の操作により入力されるユーザからの応答、あるいは、ネットワーク３０を介してホスト機器１０から送られてくるユーザの応答が、予約ジョブの直ちに実行を指示するものである場合には、その予約ジョブの実行を上記ジョブ情報管理部２６に指示して、その予約ジョブをジョブ保存部２５から読み出して印刷部２２によりジョブを出力用紙に印刷して（ステップＳ１０）、予約ジョブの復帰処理を終了する。
【００４１】
また、制御部２１は、上記ステップＳ９における判定結果が「ＮＯ」、すなわち、操作表示部２４の操作により入力されるユーザからの応答、あるいは、ネットワーク３０を介してホスト機器１０から送られてくるユーザの応答が、予約ジョブの予約時刻の修正を指示するものである場合には、その予約ジョブの予約時刻の修正処理を行って（ステップＳ１１）、上記ジョブ情報管理部２６に、その予約ジョブを修正した予約時刻になると実行する実行待機状態とさせて（ステップＳ１２）、予約ジョブの復帰処理を終了する。
【００４２】
さらに、制御部２１は、上記ステップＳ６における判定結果が「ＮＯ」、すなわち、予約ジョブの実行日時情報により示される実行日時が現在時刻情報により示される現在の日時を過ぎていない場合には、その予約ジョブを上記ジョブ情報管理部２６に予約時刻になるとそのジョブを実行する実行待機状態とさせて（ステップＳ１２）、予約ジョブの復帰処理を終了する。
【００４３】
このように、上記画像形成装置２０では、ジョブ保存部２５に保存されたジョブをジョブ情報管理部２６により管理し、上記ジョブ保存部２５に保存されたジョブの実行時刻の予約を受け付けて、上記ジョブ情報管理部２６に予約ジョブを登録し、タイマ部２７により与えられる現在時刻情報に基づいて、登録された予約ジョブを上記ジョブ管理手段により上記ジョブ保存部２５から読み出して予約時刻に実行させる制御部２１により、電源投入時あるいは障害復旧時に、予約ジョブがある場合に、その予約ジョブを復帰するか否かをユーザに問い合わせて、その応答に応じて、上記ジョブ情報管理部２６に対して、その予約ジョブを復帰させる予約ジョブの復帰処理、または、その予約ジョブを消去する予約ジョブの消去処理を行い、上記タイマ部２７により与えられる現在時刻情報に基づいて、登録された予約ジョブを上記ジョブ情報管理部２６により上記ジョブ保存部２５から読み出して予約時刻に実行させる。
【００４４】
すなわち、上記画像形成装置２０は、実行すべきジョブを保存するジョブ保存部２５と、上記ジョブ保存部２５に保存されたジョブを管理して、ジョブを実行するジョブ情報管理部２６と、現在時刻情報を与えるタイマ部２７と、上記ジョブ保存部２５に保存されたジョブの実行時刻の予約を受け付けて、上記ジョブ管理部２６に予約ジョブを登録し、上記タイマ部２７により与えられる現在時刻情報に基づいて、登録された予約ジョブを上記ジョブ情報管理部２６により上記ジョブ保存部３２５から読み出して予約時刻に実行させる制御を行う制御部２１とを備え、上記制御部２１は、電源投入時あるいは障害復旧時に、予約ジョブがある場合に、その予約ジョブを復帰するか否かをユーザに問い合わせて、その応答に応じて、ジョブ情報管理部２６に対して、その予約ジョブを復帰させる予約ジョブの復帰処理、または、その予約ジョブを消去する予約ジョブの消去処理を行う。
【００４５】
上述の如き予約ジョブの復帰処理を実行する機能を有する上記制御部２１を備える画像形成装置２０では、電源の投入時やジャム等の障害から復旧した際などに、図５のフローチャートに示す予約ジョブの復帰処理を実行することにより、電源の遮断やジャム等の障害の発生などにより、実行させるに予約した時刻が過ぎてしまった予約ジョブについて、電源の再投入時あるいは障害復旧時に、その予約ジョブを復帰させるか否かを判断して、予約ジョブを実行することができ、他の画像形成装置で既に実行されてしまったジョブなど不必要なジョブを実行することなく、必要なジョブのみを実行することができる。
【図面の簡単な説明】
【００４６】
【図１】本発明を適用したホスト機器と複数の画像形成装置とからなる印刷システムを示すブロック図である。
【図２】上記ホスト機器のハードウェア構成を示すブロック図である。
【図３】上記画像形成装置のハードウェア構成を示すブロック図である。
【図４】上記画像形成装置の制御部の要部構成を示すブロック図である。
【図５】上記画像形成装置の制御部により実行される予約ジョブの復帰処理の手順を示すフローチャートである。
【符号の説明】
【００４７】
１０（１０Ａ、１０Ｂ、１０Ｃ・・・）  ホスト機器、１０Ａ  アプリケーションプログラム、１０Ｂ  オペレーティングシステム、１０Ｃ  プリンタドライバ、１１  制御部、１２  ＲＯＭ、１３  ＲＡＭ、１４  ハードディスク、１５  表示部、１６  入力部、１７  通信部、１８  バス、２０（２０Ａ、２０Ｂ、２０Ｃ・・・）  画像形成装置、２１  制御部、２２  印刷部、２３  原稿読み取り部、２４  操作表示部、２５  ジョブ保存部、２６  ジョブ情報管理部、２７  タイマ部、２８  通信部、３０  ネットワーク、１００  画像形成システム、２１１  ＲＯＭ、２１２  ＲＡＭ、２１３  ＥＥＰＲＯＭ、２１４  マイクロコンピュータ
【図１】
2009212553.tif 000003
【図２】
2009212553.tif 000004
【図３】
2009212553.tif 000005
【図４】
2009212553.tif 000006
【図５】
2009212553.tif 000007